(57)【特許請求の範囲】
【請求項１】
刃と、刃の付近の肌当り部分と、を備える剃刀カートリッジにおいて、
前記肌当り部分は、上方露出面を有する固体ポリマー製の毛剃り補助ストリップを含み、この毛剃り補助ストリップは、剃刀カートリッジを最初に使用するのに先立って、潤滑用水溶性ポリマーを含み長手方向に延びる露出第１部分と、この第１部分に隣接して潤滑用水溶性ポリマーを含み長手方向に延びる露出第２部分と、を有し、
前記第１部分が、前記第２部分よりも、前記潤滑用水溶性ポリマーの量を重量％で多く含み、
前記第１部分が、当該第１部分を第２部分より速く摩耗させる材料を含んでいて、毛剃り中に、当該第１部分が前記第２部分よりも速く摩耗するようになっており、
前記第１部分は、６５重量％から９５重量％の水溶性ポリマーを含み、
前記第２部分は、５０重量％から８０重量％の水溶性ポリマーを含み、
前記第１部分の最上面が、前記第２部分の最上面よりわずかに上に延びている、
ことを特徴とする、剃刀カートリッジ。
【請求項２】
前記第１部分は、実質的に０重量％から３０重量％の非水溶性ポリマーと、実質的に６５重量％から９５重量％の水溶性ポリマーとを含み、
前記第２部分は、実質的に１０重量％から４０重量％の非水溶性ポリマーと、実質的に５０重量％から８０重量％の水溶性ポリマーとを含む、請求項１記載の剃刀カートリッジ。
【請求項３】
前記第１部分は、実質的に１０重量％から２５重量％の非水溶性ポリマーと、実質的に６５重量％から９０重量％のポリエチレンオキシドとを含み、
前記第２部分は、実質的に２０重量％から３５重量％の非水溶性ポリマーと、実質的に５５重量％から７５重量％のポリエチレンオキシドとを含む、請求項１記載の剃刀カートリッジ。
【請求項４】
前記ポリエチレンオキシドは、分子量が１００，０００から５００，０００の範囲の少なくとも１種のポリエチレンオキシドと、分子量が３００万から８００万の範囲の少なくとも１種のポリエチレンオキシドとの配合物を含む、請求項３記載の剃刀カートリッジ。
【請求項５】
前記非水溶性ポリマーとして、ポリエチレン、ポリプロピレン、ポリスチレン、ブタジエンースチレンコポリマー（中・高衝撃性ポリスチレン）、ポリアセタール、アクリロニトリルーブタジエンースチレンコポリマー、エチレン酢酸ビニルコポリマー、ポリウレタン、および、これらの配合物が含まれる、請求項４記載の剃刀カートリッジ。
【請求項６】
前記第１部分の上方露出面が、毛剃り補助ストリップの上方露出面の実質的に５５％から８５％の領域を占める、請求項１または５記載の剃刀カートリッジ。
【請求項７】
前記第１部分の上方露出面が、毛剃り補助ストリップの上方露出面の実質的に６０％から８０％の領域を占める、請求項６記載の剃刀カートリッジ。
【請求項８】
前記第２部分が、少なくとも部分的に、前記第１部分の下側に延びて第１部分の支持をもたらしている、請求項６記載の剃刀カートリッジ。
【請求項９】
前記第２部分と前記第１部分との間の境界が、近似的に傾斜面になっている、請求項８記載の剃刀カートリッジ。
【請求項１０】
前記第２部分が、前記第１部分の実質的に下側に延びて、この第１部分の支持をもたらしている、請求項６記載の剃刀カートリッジ。
【請求項１１】
前記第１部分と前記第２部分との間の境界が、曲線ないし弓形を描く、請求項１０記載の剃刀カートリッジ。
【請求項１２】
前記第１部分が、前記第２部分と対照をなすように着色剤を含有する、請求項６記載の剃刀カートリッジ。
【請求項１３】
前記毛剃り補助ストリップは、前記剃刀カートリッジの上で、前記第１部分が前記第２部分の後方となるように方向づけられている、請求項１２記載の剃刀カートリッジ。
【請求項１４】
前記毛剃り補助ストリップが、前記第１部分と前記第２部分との下に延びる接続部分をさらに含む、請求項６記載の剃刀カートリッジ。
【請求項１５】
前記接続部分が前記第２部分と同じ組成である、請求項１４記載の剃刀カートリッジ。
【発明の詳細な説明】
【０００１】  本発明は、剃刀カートリッジの毛剃り補助ストリップまたは毛剃り補助複合体に関する。
【０００２】  毛剃りを行う間、毛剃り補助剤、典型的には潤滑剤を連続的に放出するような、潤滑ストリップとしても公知の毛剃り補助複合体を剃刀カートリッジにつけると、毛剃りの快適さが高まることが、今やよく知られている。たとえばＵＳ４，１７０、８２１やＧＢ２，０２４，０８２を参照。毛剃り補助ストリップは、一般的に、非水溶性ポリマー製のマトリックス（基材）、典型的にはポリスチレンと、水溶性の毛剃り補助剤、典型的にはポリエチレンオキシドとを含み、この毛剃り補助剤が毛剃り中にこの毛剃り補助複合体から漏れて、毛剃りの快適さを高める。
【０００３】  残念なことに、従来の毛剃り補助ストリップでは、十分な量の補助剤を放出できないこと、特に最初に４、５回毛剃りをした後は、毛剃り補助剤を放出しても、認知できないほどの少量が落ちるだけという問題があった。さらに、毛剃り補助ストリップに毛剃り補助剤が高いレベルまで入っていると、毛剃り補助剤を処理しにくく、ストリップの構造上の一体性を損なうおそれもあるため、毛剃り補助ストリップに含まれる毛剃り補助剤の量には制約が生じる。したがって最近は、毛剃り補助ストリップを改良して、毛剃り補助剤の放出を強化し、しかも持続させようとする努力がなされてきた。
【０００４】  このような努力の結果できた改良毛剃り補助ストリップは、それぞれ、次のような特徴を有する。つまり、ポリエチレングリコールのような低分子量の放出強化補助剤を、マトリックス内に組込ませたこと（ＵＳ５，１１３，５８５）；マトリックスの材料に、エチレン酢酸ビニルコポリマーを使ったこと（ＵＳ５，３４９，７５０）；ポリエチレンオキシドーポリプロピレンオキシドコポリマー（例、Poloxamer１８２）のような相溶化剤を組込ませたこと（ＵＳ５，４５４，１６４）、架橋ポリアクリラートであるSalsorb８４のような水で膨潤可能なポリマーを組込ませたこと（ＵＳ５，６２６，１５４）；水で浸出可能な毛剃り補助剤を含むコアを、非水溶性ポリマー製で毛剃り補助剤を放出させる複数の開口を有したシース内に同時押出しすること（ＵＳ出願番号０８／４９７，１９４に対応するＷＯ９６／１３３６０）；そして、互いに隣接する毛剃り補助部分を同時押出したこと（ＵＳ５，９５６，８４８）などである。あるいはまた、毛剃り補助ストリップで、精油を含んだもの（ＵＳ５，０９５，６１９）や、非揮発性の冷却剤を含んだもの（ＵＳ５，７１３，１３１）、そして射出成形ストリップで可塑剤を含んだもの（ＵＳ４，８５０，１０６）なども知られている。これまで述べてきた特許や出願の公報の内容はすべて、番号を参照することにより、本明細書に組込まれるものとする。
【０００５】  本発明は、固体ポリマー製の毛剃り補助ストリップを備えた、剃刀カートリッジを意図している。この剃刀カートリッジは、（１枚または複数枚の）刃と、刃の付近の肌当り部分とを有する。この肌当り部分は、固体ポリマー製の毛剃り補助ストリップを含み、さらに、このストリップの上方露出面が、毛剃り中に肌と接触する。そしてこの毛剃り補助ストリップは、長手方向に延びて潤滑用水溶性ポリマーを含む上方露出第１部分と、これに隣接する長手方向に延びて潤滑用水溶性ポリマーを含む上方露出第２部分とを有する。ここで第１部分が第２部分より潤滑用水溶性ポリマーの量を多く含み、毛剃り中に第１部分が第２部分よりも速く摩耗されるようになっている。このような構造にしたことによって、本発明の毛剃り補助ストリップは、従来の毛剃り補助ストリップに比べて、より長い時間、より多くの潤滑用水溶性ポリマーを放出する（つまり、多くの毛剃りができる）ようになる。
【０００６】  毛剃り補助ストリップは普通、カートリッジの後方側の（あるいはキャップ）部分（すなわち刃の背後）に配置されているが、カートリッジの前方側の（あるいはガード）部分（すなわち刃の手前）や、カートリッジの前方と後方との両側に配置されていてもよい。そして剃刀カートリッジは一般的に、毛剃りに使えるように、ハンドルに取付けられている。また１回または数回使用した後で、ハンドルは再使用するがカートリッジは処分する剃刀システムになっている場合に、剃刀カートリッジをハンドルに取り外し可能に取付けられるようにしておくことができる。あるいは１回または数回使用した後で、ハンドルと毛剃りカートリッジとをひとつのユニットとして一緒に処分するような剃刀システムになっている場合に、剃刀カートリッジをハンドルに永久的に取付ける（またはハンドルと一体化する）ことができる。かくして、剃刀カートリッジという用語は、このような両方の種類のカートリッジに適用するよう意図されている。
【０００７】  図１、２および５に示されたように、剃刀カートリッジ１４は、３枚の刃１８を担うハウジング１６と、フィン付きエラストマーガード２０と、カートリッジの肌当り部分（この場合はキャップ）に配置された固体ポリマー製の毛剃り補助ストリップ２２（または２２’）とを含む。この毛剃り補助ストリップ（または毛剃り補助複合体）は、カートリッジの後方側の開口部内に固定され、潤滑用水溶性ポリマー製の毛剃り補助剤を含んでいる。この毛剃り補助剤は、毛剃りの特性を改良するために、毛剃り中にこのストリップから放出されるようになっている。この特定化された剃刀カートリッジでは、毛剃り補助ストリップはその後方側の部分のところに示されているが、カートリッジの肌当り部分のいずれにも配置することができ、さらに適切とみなされるどのサイズやどの形状にも製造できる。たとえば、Gillette社が販売しているMach 3（登録商標）、Sensor Excel（登録商標）、Atra Plus（登録商標）、そしてCustom Plus（登録商標）、あるいは市場にでている他の剃刀カートリッジにも同様に、ストリップを剃刀カートリッジ内に組込ませることもできる。
【０００８】  図３および４に示されたように、毛剃り補助ストリップ２２は、長手方向に延びる露出第１部分２４と、それに隣接する長手方向に延びる露出第２部分２６とを含み、それぞれの部分はほぼ、丸みを帯びたローブ（lobe）形で、長手方向に延びる露出面を有している。第２部分２６は少なくとも部分的に、第１部分２４の下に延びて、第１部分２４を支持していると好ましい。第１部分２４と第２部分２６との間の境界は、図示のごとく、近似的に傾斜面になっている。ストリップ２２はまた、接続部分２８を含んでおり、この接続部分２８は、第１部分２４と第２部分２６との下側に延び、さらに必要に応じて、カートリッジの嵌め込み受け部分内にストリップを固定するように機能する。第２部分２６と接続部分２８とが、同一の組成であると好ましい。また毛剃り補助ストリップの上面全体に対して、第１部分２４の上面は、好ましくは約５５％から約８５％、より好ましくは約６０％から８０％を占める。加えて第１部分２４の最上面が、第２部分２６の最上面よりわずかに上に延びていると好ましい。さらにまた第１部分２４が第２部分２６より、毛剃り補助剤の量を（重量パーセントで）多く含むのが好ましい。毛剃り補助ストリップの典型的なサイズは、長さが約２．５cmから約３．７cm、幅が約０．１５cmから約０．３５cmである。
【０００９】  本発明の毛剃り補助ストリップの第２実施態様が、図６および７に示されている。この実施態様では、前述の実施態様と同様に、毛剃り補助ストリップ２２’は、長手方向に延びる露出第１部分２４’と、それに隣接する長手方向に延びる露出第２部分２６’とを含み、それぞれの部分はほぼ、丸みを帯びたローブ形で、長手方向に露出面を有している。第２部分２６’は、実質的に第１部分２４’の下側に延びて、第１部分２４’を支持する。第１部分２４’と第２部分２６’との間の境界は、図示のごとく曲線（S字型に近い）になっている。無論、この境界が凸状や凹状に弓形を描いていてもよい。ストリップ２２’はまた、接続部分２８’を含んでおり、この接続部分２８’は、第１部分２４’と第２部分２６’との下側に延び、さらに必要に応じて、カートリッジの嵌め込み受け部分内にストリップを固定するように機能する。第２部分２６’と接続部分２８’とが、同一の組成であると好ましい。また毛剃り補助ストリップの上面全体に対して、第１部分２４’の上面は、好ましくは約５５％から約８５％、より好ましくは約６０％から８０％を占める。加えて第１部分２４’の最上面が、第２部分２６’の最上面よりわずかに上の位置に延びていると好ましい。さらにまた第１部分２４’が第２部分２６’より毛剃り補助剤の量を（重量パーセントで）多く含むのが好ましい。毛剃り補助ストリップの典型的なサイズは、長さが約２．５cmから約３．７cm、幅が約０．１５cmから約０．３５cmである。
【００１０】  上記構造の毛剃り補助ストリップは、図２に示されたように、第１部分２４（または２４’）が前方側にくるように（つまり、毛剃り方向に）、剃刀カートリッジに挿入してよい。あるいはストリップは、図５に示されたように、第１部分２４（または２４’）が後方側にくるように、挿入してもよい。第１部分２４（または２４’）がストリップの他の部分より、毛剃り補助剤の量を多くの割合で含んでいるため、そして必要に応じて、第１部分のより速い摩耗特性を与え得る他の成分を含むため、第１部分２４（または２４’）が第２部分２６（または２６’）よりわずかに速く摩耗していく傾向がある。摩耗が速いことによって、毛剃り補助剤の新たな面を出しやすくなっている。しかもこの毛剃り補助剤はこの第１部分に高い割合で存在している。かくして、より長い時間にわたってより多くの潤滑材を提供することになる。それと同時に、第２部分２６（または２６’）の摩耗は遅く、毛剃りの幾何学的特性は、適切に維持される。
【００１１】  毛剃り補助ストリップの各部分は、主たる毛剃り補助剤として潤滑用水溶性ポリマーを含み、さらに必要に応じて、この水溶性ポリマーを分散させるマトリックスとして機能する非水溶性ポリマーを含むことになる。第１部分は、好ましくは約０重量％から約３０重量％、より好ましくは約１０重量％から約２５重量％の非水溶性ポリマーと、好ましくは約６５重量％から約９５重量％、より好ましくは約６５重量％から約９０重量％の潤滑用水溶性ポリマーとを含む。いっぽう第２部分は、好ましくは約１０重量％から約４０重量％、より好ましくは約２０重量％から約３５重量％の非水溶性ポリマーと、好ましくは約５０重量％から約８０重量％、より好ましくは約５５重量％から約７５重量％の潤滑用水溶性ポリマーとを含む。
【００１２】  典型的な潤滑用水溶性ポリマーとしては、ポリエチレンオキシド、ポリビニルピロリドン、ポリアクリルアミド、改質ヒドロキシアルキルセルロース、ポリビニルイミダゾリン、ポリビニルアルコール、ポリスルホン、そしてポリメタクリル酸ヒドロキシエチルなどがある。好適な潤滑用水溶性ポリマーは、ポリエチレンオキシドである。なかでも好適なポリエチレンオキシドは、POLYOX（Union Carbide Corporationから入手可能）あるいは、ALKOX（日本、京都、Meisei Chemical Ｗorksから入手可能）として、一般的に知られている。これらのポリエチレンオキシドは、好適には約１００，０００から８００万ダルトン、最も好適には約３００，０００から５００万ダルトンの範囲の分子量を有する。またポリエチレンオキシド類を配合して用いるのが好ましい。典型的には、１００，０００から５００，０００の範囲の分子量を有するポリエチレンオキシドを少なくとも１種と、３００万から８００万の範囲の分子量を有するポリエチレンオキシドを少なくとも１種とを配合して用いる。最も好適なポリエチレンオキシドは、約４０重量％から８０重量％の平均分子量が約５００万のポリエチレンオキシド（たとえばPOLYOX COAGULANT）と、約６０重量％から２０重量％の平均分子量が約３００，０００のポリエチレンオキシド（たとえばPOLYOX WSR-N-７５０）とを含むものである。これら２種類のポリエチレンオキシド（分子量５００万：分子量３００，０００）が、６０：４０という配合比であると、特に好適である。
【００１３】  使用できる適切な非水溶性ポリマーには、ポリエチレン、ポリプロピレン、ポリスチレン、ブタジエン−スチレンコポリマー（たとえば、中・高衝撃性ポリスチレン）、ポリアセタール、アクリロニトリル−ブタジエン−スチレンコポリマー、エチレン酢酸ビニルコポリマー、ポリウレタン、そしてこれらの配合物、たとえば、ポリプロピレン／ポリスチレンの配合物やポリスチレン／耐衝撃性ポリスチレンの配合物などがある。より好適な非水溶性ポリマーはポリスチレンで、なかでもNOVA C２３４５Aのような汎用ポリスチレンや、BASF ４９５F KG２１のような耐衝撃性ポリスチレン（つまりポリスチレン−ブタジエン）が好ましい。ストリップあるいはストリップのいずれかの部分が、剃刀の製造中も使用中も適切な機械的強度が提供できるほどに十分な量の非水溶性ポリマーを含むべきである。
【００１４】  さらにまた毛剃り補助ストリップの第１部分が、第１部分を第２部分より速く摩耗させ、および／または、比較的高レベルの水溶性ポリマーを混入しやすくさせるような材料を含んでいると、好ましい。このような材料の一例としては、２０００年２月１８日出願の、同時係属出願のＵＳ出願番号０９／５０６，６２８号（事件整理番号８０７０）に述べられているような、ポリカプロラクトンがある。さらに、含まれているポリカプロラクトンの量が、約１重量％から約１０重量％であると好ましい。ポリカプロラクトンは、TONE（登録商標）ポリマー（たとえばＰ−７３７，Ｐ−７６７，Ｐ−７８７およびpolyol １２７０）という名称でUnion Carbide Corporationから入手可能である。さらにポリカプロラクトンは、好適には約１０００から約８０，０００ダルトン、より好適には約３０，０００から６０，０００ダルトン、そして最も好適には約５０，０００ダルトンの分子量を有する。
【００１５】  毛剃り補助ストリップもしくはこのストリップのいずれかの部分は、上記のポリマー以外に、ポリエチレングリコール（分子量が１０，０００未満のもの、たとえば１から１０重量％のPEG−１００）のような低分子量の水溶性放出強化剤、架橋ポリアクリレート（たとえば２から７重量％）のような水で膨潤可能な放出強化剤、着色剤、酸化防止剤、防腐剤、植物性オイル、ビタミンE、アロエ、冷却剤、精油、髭軟化剤、収斂剤、医薬剤などの、従来からの毛剃り補助剤成分を含有していてもよい。ストリップの各部分が着色剤を含有する場合、この部分を、その着色剤を（浸出や摩耗によって）放出するようにつくることができる。これによって毛剃り中にストリップの色が変わる。ストリップの各部分は、たとえば約０．１重量％から約５．０重量％（好ましくは約０．５重量％から３重量％）の着色剤を含有できる。第１部分が第２部分と対照をなすような着色剤を含有していると、それによって毛剃り中の第１部分の摩耗から、毛剃り補助ストリップおよび／または剃刀カートリッジの有効寿命が尽きたこと、または最適な性能が尽きたことを、ユーザーに視覚的に示すようになって、好ましい。
【００１６】  本発明の毛剃り補助ストリップは、射出成形や押出を含めて、いずれの適切な方法によっても製造できる。特に押出が好適である。ストリップの全成分を、成形や押出の前に配合しておく。最良の結果を得るために、成分が乾燥していると好ましい。
【００１７】  配合された成分を、Haake System９０、３／４インチ径の押出機で、約１０００から２０００psiのバレル圧、約１０から５０rpmの回転速度、約１５０°から１８５℃の温度、そして約１７０から１８５℃のダイ温度で、押出する。あるいはまた、１と１／４インチの単軸スクリュー押出機を使って、１７５から２００℃好ましくは１８５から１９０℃の処理温度、２０から５０rpm好ましくは２５から３５rpmのスクリュー速度、そして１８００から５０００psi、好ましくは２０００から３５００psiの押出圧力で、押出する。押出されたストリップは、約２５℃まで空冷される。このストリップを射出成形するには、先ず、粉末の配合物を押出してペレットにするのが好ましい。これは、１と１／４インチまたは１と１／２インチの単軸スクリュー押出機において、１２０°から１８０℃、好ましくは１４０°から１５０℃の温度、２０から１００rpm、好ましくは４５から７０rpmのスクリュー速度で、可能である。こうしてできたペレットを、必要に応じてホットランナシステムを備えた、一個取り金型か多数個取り金型である単一材料用成形機か複数材料用成形機いずれかにおいて、成形する。処理温度は、１６５°から２５０℃、好ましくは１８０°から２２５℃である。射出圧は、各部分をあふれ出ることなく満たせるだけの高さでなければならない。さらに射出圧は、キャビティのサイズや構造そして質に応じて３００から２５００psiの範囲をとりうる。成形時間も、同様のパラメーターに応じて３から３０秒の範囲をとりうるが、一般的に約６から１５秒が最適である。
【００１８】  本発明を以下の実施例によってさらに説明する。実施例のなかで、部はすべて重量部であり、パーセントはすべて重量パーセントである。
【００１９】実施例１から４
図４に示されたストリップ２２の断面と同様の断面を有する毛剃り補助ストリップを、以下に示した成分の配合物から、次のような様式でこの配合物を同時押出することによって、製造する。部分（第１部分２４および第２部分２６と接続部分２８とを合わせた部分）ごとの成分は、２つの別個の溶融／送出し（プラスチック押出機）により供給する。各押出機は、加熱されたバレルと、送出しスクリューと、このスクリュー用のモータードライブと、全体システム用の制御システムとから成る。粉末状の材料をそれぞれの押出機（たとえばDavis Standard製の単軸スクリュー型の押出機）に入れる。これらの押出機を運転する速度や温度は、同じでも異なっていてもどちらでもよい。各押出機でのバレル温度は、３つのゾーンで１６５℃から１９０℃への温度勾配を付けることが可能である。そしてダイ／バレルの接続部分のところの４番目のヒーターも１９０℃に設定できる。さらにダイのところの５番目のヒーターは１９０℃から２０５℃の範囲としうる。こうしてこれらの成分の溶融流れが、凹凸のある溶接部を介して、合わさってストリップを形成する。ここで第１部分２４は、ダイヘッドの精度良く加工された通路を通って、第２部分２６と接続部分２８との上に、正確に配置できる。２種の溶融材料はそれぞれ成分が異なるため、ダイを出る可能な限り直前に合わせる。どちらの材料も、ダイヘッドを出るときのサイズや形状は、最終成形品に近いものとする。押出品を冷却しながら、一連の成形ロールを使って最終寸法に成す。ストリップは普通、毎分５０フィートの速度で押出する。組合せた溶融材料をダイヘッドから定寸化／冷却装置内に引きだすときの速度を一定にすることによって、断面も常に一定にすることができる。乾燥冷気浴で、溶融材料をもはや曲げられなくなるまで冷却する。冷却されたストリップは、適切な長さに切って、カートリッジ１４のような剃刀カートリッジに取付けることができる。
【００２０】
【表１】
0005474270.tif 000002
【表２】
0005474270.tif 000003
実施例５および６
図７に示されたストリップ２２’の断面と同様の断面を有する毛剃り補助ストリップを、以下に示した成分の配合物から、実施例１から４について上述した様式でこの配合物を同時押出することによって、製造する。冷却されたストリップは、適切な長さに切って、カートリッジ１４のような剃刀カートリッジに取付けることができる。
【００２１】
【表３】
0005474270.tif 000004
理解しやすいように、本発明の特定化された実施態様を示して説明してきたが、当業者にとって、上記請求の範囲によって定められる本発明の本質と範囲から逸脱することなく、種々の変更や変形が可能であることが、明らかであろう。
【図面の簡単な説明】
【図１】  本発明の毛剃り補助ストリップを含む、剃刀カートリッジの斜視図。
【図２】  図１の線２−２についての断面図。
【図３】  図１に示された剃刀カートリッジに含まれる毛剃り補助ストリップの斜視図。
【図４】  図３の毛剃り補助ストリップの側面図。
【図５】  図２と同様の剃刀カートリッジの断面図が、本発明の毛剃り補助ストリップの第２実施態様を示したものである。
【図６】  図５に示された毛剃り補助ストリップの斜視図。
【図７】  図６の毛剃り補助ストリップの側面図。
【図１】
0005474270.tif 000005
【図２】
0005474270.tif 000006
【図３】
0005474270.tif 000007
【図４】
0005474270.tif 000008
【図５】
0005474270.tif 000009
【図６】
0005474270.tif 000010
【図７】
0005474270.tif 000011